(57)【要約】      （修正有）【課題】市販のスライド式モータベースを利用して、定期的に行うベルト張力調整を容易に、かつ高精度に行い、また、作業能率をあげ、短時間で作業を実施することができるベルト張力調整治具を提供する。【解決手段】長四角形板状のガイド支持金具４と、円柱状の高さ調整用コマ５と、長四角形板状のガイド６とからなり、ガイド支持金具４は、モータ１の両側において、長辺の方向とベルト張り方向が平行となるようにスライド式モータベース２に固定されており、高さ調整用コマ５は、ガイド支持金具４上に固定されると共に、高さ調整用コマ５上に固定されるガイド６の高さが、モータ１の脚と同じ高さとなるように調節された高さを有しており、ガイド６は、高さ調整用コマ５に固定されると共に、モータの脚に密着して設けられている。これらにより、定期的に実施するベルト張力調整作業を、容易に短時間で実現する。【選択図】図１
0003201247.tif 000002
【実用新案登録請求の範囲】
【請求項１】
市販のスライド式モータベースを利用してベルト張力調整を行う時、モータをベルト張り方向に平行にスライドさせるガイドを、モータベースに追加工することなく取り付ける場合、ガイド支持金具、高さ調整用コマ、ガイドの３種の部品で構成する。
【請求項２】
市販のスライド式モータベースを利用してベルト張力調整を行う時、それに付属するベルト張力調整治具が円滑に使えず、これを外して新たなベルト張力調整治具をスライド式モータベースに追加工することなく付加する場合、モータ脚がループ状ならば、そのベルト張力調整治具は、丸棒、引きボルト、引きボルト支持プレートの３種の部品で構成する。
【請求項３】
請求項２と同様に、市販のスライド式モータベースを利用してベルト張力調整を行う時、それに付属するベルト張力調整治具が円滑に使えず、これを外して新たなベルト張力調整治具をスライド式モータベースに追加工することなく付加する場合、そのベルト張力調整治具は、モータ引っかけツメおよび引きボルトを有するプレート、調整ナット、引きボルト支持プレートの３種の部品で構成する。このベルト張力調整治具は全てのモータに適応できる。
【考案の詳細な説明】
【技術分野】
【０００１】
この考案は、モータの回転出力をベルトを介してファンやポンプなどの被駆動機に伝える、ベルト伝動装置に適応するベルト張力調整に関するものである。
【背景技術】
【０００２】
モータの回転出力をVベルトなどを介して、ファンやポンプなどの被駆動機に伝達するベルト伝動装置は広く用いられている。このベルト伝動装置は、回転出力を確実に伝達するために、適正なベルト張力が求められる。しかし、ベルトの伸びや摩耗により、ベルト張力が低下するため、定期的にベルト張力を調整する必要がある。
【先行技術文献】
【特許文献】
【０００３】
【特許文献１】特開2005−195107
【考案の概要】
【考案が解決しようとする課題】
【０００４】
モータ軸にベルトプ−リーを取付けるベルト伝動装置のベルト張力調整は、モータをスライドさせて行う。そのスライドには、安価な市販のスライド式モータベースを使用することが多い。しかしながら、このスライド式モータベースでは、ベルト張り方向と平行にスライドさせることが難しく、定期的に行うベルト張力調整作業時、毎回芯だしというベルトの芯ズレを修正する作業を行う必要がある。また、このスライド式モータベースに付属するモータをスライドさせるベルト張力調整治具は、力点がモータを固定するボルトにあるため、ボルトが傾き、円滑なモータのスライドが難しい。
【課題を解決するための手段】
【０００５】
安価な市販のスライド式モータベースを追加工せずに、そのまま利用する。ベルト張力調整作業時、モータをベルト張り方向と平行にスライドさせるために、ガイドをスライド式モータベースに付加する。また、モータのスライドを円滑にするため、市販のスライド式モータベースに付属するベルト張力調整治具を取外し、新たにモータ脚部が力点となるベルト張力調整治具をスライド式モータベースに付加する。
【考案の効果】
【０００６】
ベルト伝動装置において、モータをスライドさせてベルト張力調整を行う場合、安価な市販のスライド式モータベースを利用して、本考案のガイドを付加することにより、ベルト張り方向と平行にスライドさせることが可能になる。また、スライド式モータベースに付属しているベルト張力調整治具を替え、本考案のベルト張力調整治具を付加することにより、円滑なモータのスライドを実現することができる。これらにより、定期的に行うベルト張力調整作業が容易に、かつ短時間で実施可能となり、作業コストを抑える効果がある。
【図面の簡単な説明】
【０００７】
【図１】本考案の一実施例を示す正面図と側面図
【図２】本考案のガイドを示す正面図および側面図
【図３】モータ脚がループ状の場合の本考案ベルト張力調整治具の正面図と側面図
【図４】全てのモータに対応する本考案ベルト張力調整治具の正面図および側面図
【考案を実施するための形態】
【０００８】
本考案は、市販のスライド式モータベースを追加工せず、そのまま利用し、モータをベルト張り方向と平行にスライド可能なガイドおよびモータのスライドを円滑にするベルト張力調整治具を付加するものである。
ベルト張力調整治具は、モータ脚の形状がループ状のものに適応するものと、全てのモータに適応するものとの２種類がある。
【０００９】
モータをベルト張り方向と平行にスライドさせるガイドは、ガイド支持金具、高さ調整用コマ、ガイドの３種の部品から成り、モータ脚の両側に設ける。ガイド支持金具をスライド式モータベース固定ボルトで共締めして固定する。その支持金具にモータ脚高さに合わせるための高さ調整用コマと、その上にガイドをボルトで共締めする。このときモータは芯だしを完了し、ガイドはモータ脚に隙間のないよう密着させて固定する。
【００１０】
ベルト張力調整治具は、モータ脚がループ状の場合、丸棒、引きボルト、引きボルト支持プレートの３種の部品から成る。モータ脚ループ部に両側に引きボルト用ねじ穴を加工した丸棒を通し、スライド式モータベース既存穴を利用して、引きボルト支持プレートを固定する。引きボルト支持プレートの穴にボルトを通し、丸棒のねじ穴に引きボルトをねじ込み、締まり方向に回すことで丸棒が引き寄せられ、モータがベルト張り方向にスライドする。
【００１１】
全てのモータに対応するベルト張力調整治具は、モータ引っかけツメおよび引きボルトを有するプレート、調整ナット、引きボルト支持プレートの３種の部品から成る。モータとスライド式モータベースとの隙間部分に、片側端部にモータを引っかけるツメと反対側端部に引きボルトを有するプレートを配し、引きボルト支持プレート穴に引きボルトを通し、スライド式モータベース既存穴を利用して、引きボルト支持プレートを固定する。引きボルトに調整ナットをねじ込み、締まり方向に回すことでモータ引っかけツメと引きボルトを有するプレートが引き寄せられ、ツメがモータ脚にかかりモータがベルト張り方向にスライドする。
【実施例】
【００１２】
図１は、本考案一実施例の使用状態を示す正面図と側面図である。スライド式モータベース２は通常、被駆動機と一緒にコモンベースに取り付けられるが、そのコモンヘ゛ースの図示は省略している。モータ１を市販のスライド式モータベース２に取付け、モータ１をスライドさせることにより、ベルト３の張力を調整する。このとき、ベルト張り方向と平行にスライドさせないとベルト３芯がズレてしまう。ベルト３の芯がズレると芯だしという作業が必要となり、作業量が増えるため、ベルト張り方向と平行にスライド可能なガイド６を設ける。スライド式モータベースに付属するベルト張力調整治具は取外し、本考案のベルト張力調整治具７，８，９を設ける。
【００１３】
図２は、モータ１をベルト張り方向と平行にスライドさせる本考案のガイド６を市販のスライド式モータベース２に取り付けた状態を示す正面図と側面図である。
ガイド６を取り付けるには、先ずガイド支持金具４をスライド式モータベース２の固定ボルト二本で共締めし固定する。そのガイド支持金具４のねじ穴にガイド６高さを調整するコマ５とガイド６を共締めする。ガイド６は、モータ1脚をはさむように脚と密着させて固定する。
本考案のガイド６を取付け、ベルト張力調整治具はスライド式モータベース２に付属するものを使用してもよい。また、押し引きボルトでモータ１をスライドさせてベルト張力を調整するタイプの市販モータベースにガイドだけ付けて使用することもできる。
【００１４】
モータ１脚はモータメーカーにより、いろいろな形状をしているが、図３は、モータ1脚がループ状になっている場合のモータ１をスライドさせるベルト張力調整治具をスライド式モータベース２に取り付けた状態を示す正面図と側面図である。
先に引きボルト支持プレートA７をスライド式モータベース２の既存穴にボルト・ナットにて固定し、モータ１をスライド式モータベース２にスライド可能なように固定ボルトを軽く締め付ける。引きボルト用ねじ穴を加工した丸棒９をモータ１脚のループ状部に通し、引きボルト８二本を引きボルト支持プレートA７の穴に通し、丸棒９ねじ穴にねじ込む。引きボルト８を締まり方向に回すと丸棒９が引き寄せられ丸棒９がモータ１脚にかかると同時にモータ１もベルト張り方向にスライドする。ベルト張力を適正に調整した後、固定ボルトを締めモータ１をモータベース２に固定する。
このベルト張力調整治具は、全てのモータに適応する治具より、安価に製作することができる。
【００１５】
図４は全てのモータ１に適応するモータ１のスライド治具を示す正面図と側面図を示すものである。
先に引きボルト支持プレートB１０をスライド式モータベース２の既存穴にボルト・ナットにて固定する。モータ引っかけツメおよび引きボルトを有するプレート１１をモータ１とスライド式モータべーす２との隙間に置き、モータ１をスライド式モータベース２にスライド可能なように固定ボルトを軽く締め付ける。引きボルトを引きボルト支持プレートB１０の穴に通し、調整ナット１２を引きボルトにねじ込む。調整ナット１２を締まり方向に回すとモータ引っかけツメを有するプレートが引き寄せられ、ツメがモータ１にかかったと同時にモータ１もベルト張り方向にスライドする。ベルト張力を適正に調整した後、固定ボルトを締めモータ１をスライド式モータベース２に固定する。
【産業上の利用可能性】
【００１６】
モータの回転出力をVベルトなどを介して、ファンやポンプなどの被駆動機に伝達するベルト伝動装置が広く用いられている。このベルト伝動装置は、回転出力を確実に伝達するために、適正なベルト張力が求められる。しかし、ベルトの伸びや摩耗により、ベルト張力が低下するため、定期的にベルト張力を調整することが必要となる。ベルト張力の調整はモータをスライドさせて行うが、それを実現するスライド式モータベースは安価に市販されていて広く用いられている。しかしながら、このスライド式モータベースは、ベルト張り方向に平行にスライドできない、円滑なスライドが難しいという二つの問題があり、このベルト張力調整作業を難しくし、能率の悪い作業にしている。そこで本考案のガイドとベルト張力調整治具を利用すれば、前に記述した二つの問題を解消し、容易な短時間の作業が期待できる。
【符号の説明】
【００１７】
１モータ
２スライド式モータベース（市販品）
３ベルト
４ガイド支持金具
５ガイド高さ調整用コマ
６ガイド
７引きボルト支持プレートA
８引きボルト
９丸棒
１０引きボルト支持プレートB
１１モータ引っかけツメおよび引きボルトを有するプレート
１２調整ナット
【図１】
0003201247.tif 000003
【図２】
0003201247.tif 000004
【図３】
0003201247.tif 000005
【図４】
0003201247.tif 000006
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
スライド式モータベースでベルト張力調整を行う時に設けるベルト張力調整治具において、モータをベルト張り方向に平行にスライドさせるガイドを、モータベースに追加工することなく設ける場合、ガイド支持金具、高さ調整用コマ、ガイドの３種の部品で構成するベルト張力調整治具。
【請求項２】
スライド式モータベースでベルト張力調整を行う時に設けるベルト張力調整治具において、モータをベルト張り方向にスライドさせる治具を、モータベースに追加工することなく設ける場合、モータ脚がループ状ならば、丸棒、引きボルト、引きボルト支持プレートの３種の部品で構成するベルト張力調整治具。
【請求項３】
スライド式モータベースでベルト張力調整を行う時に設けるベルト張力調整治具において、モータをベルト張り方向にスライドさせる治具を、モータベースに追加工することなく設ける場合、モータ引っかけツメおよび引きボルトを有するプレート、調整ナット、引きボルト支持プレートの３種の部品で構成するベルト張力調整治具。
【手続補正書】
【提出日】平成27年6月28日(2015.6.28)
【手続補正１】
【補正対象書類名】実用新案登録請求の範囲
【補正対象項目名】全文
【補正方法】変更
【補正の内容】
【実用新案登録請求の範囲】
【請求項１】
モータ軸にベルトプーリーを取付けるベルト伝動装置にてスライド式モータベース２上のモータ１をスライドさせて行うベルト張力調整において、フラットバーなど長四角形板状のガイド支持金具４をモータ１両側ベルト張り方向に、スライド式モータベース２と共に固定し、そのガイド支持金具４上にフラットバーなど長四角形板状のガイド６がモータ１脚と同じ高さになるよう切断された中空円柱の高さ調整用コマ５とガイド６をモータ１がベルト張り方向と平行にスライドするようモータ１脚に密着させて固定するもので、スライド式モータベース２に追加工を必要としないことを特徴とするベルト張力調整治具。
【請求項２】
モータ軸にベルトプーリーを取付けるベルト伝動装置にてスライド式モータベース２上のモータ１をスライドさせて行うベルト張力調整において、モータ１脚がループ状ならば、２か所にねじ貫通加工を施した円柱状の丸棒９をモータ１脚ループ部に通し、スライド式モータベース２のモータ１引き側に四角形板状の引きボルト支持プレートA７を取付け、その穴に六角ボルトを利用した引きボルト８を通し、丸棒のねじ穴にねじ込み締めることにより、モータ１をベルト張力張り側にスライドさせるもので、スライド式モータベース２に追加工を必要としないことを特徴とするベルト張力調整治具。
【請求項３】
モータ軸にベルトプーリーを取付けるベルト伝動装置にてスライド式モータベース２上のモータ１をスライドさせて行うベルト張力調整において、四角形薄板の一辺に金属の角材を溶接しL形にして、反対側辺には寸切りボルトを溶接したモータ引っかけツメおよび引きボルトを有するプレート１１を寸切りボルトがモータ１引き側にくるようモータ１下両側固定部間の隙間に置き、四角形板状の引きボルト支持プレートB１０の穴に、その寸切りボルトを通して、スライド式モータベース２に取付け、六角ナットである調整ナット１２を寸切りボルトにねじ込み締めることにより、モータ引っかけツメおよび引きボルトを有するプレート１１が引き寄せられ、前述の薄板端に溶接した角材がモータ１脚に引っ掛かりモータ１をベルト張力張り側にスライドさせるもので、スライド式モータベース２に追加工を必要としないことを特徴とするベルト張力調整治具。
【手続補正書】
【提出日】平成27年9月29日(2015.9.29)
【手続補正１】
【補正対象書類名】実用新案登録請求の範囲
【補正対象項目名】全文
【補正方法】変更
【補正の内容】
【実用新案登録請求の範囲】
【請求項１】
モータ軸にベルトプーリーを取付けるベルト伝動装置において、モータ（１）をスライド式モータベース（２）上に設置することで、モータ（１）をスライドさせて行うベルト張力調整に用いるベルト張力調整治具であって、
前記ベルト張力調整治具は、長四角形板状のガイド支持金具（４）と、円柱状の高さ調整用コマ（５）と、長四角形板状のガイド（６）とからなり、
ガイド支持金具（４）は、モータ（１）の両側において、長辺の方向とベルト張り方向が平行となるようにスライド式モータベース（２）に固定されており、
高さ調整用コマ（５）は、ガイド支持金具（４）上に固定されると共に、高さ調整用コマ（５）上に固定されるガイド（６）の高さが、モータ（１）の脚と同じ高さとなるように調節された高さを有しており、
ガイド（６）は、高さ調整用コマ（５）に固定されると共に、モータの脚に密着して設けられていることを特徴とする、ベルト張力調整治具。
【請求項２】
モータ軸にベルトプーリーを取付けるベルト伝動装置において、モータ（１）をスライド式モータベース（２）上に設置することで、モータ（１）をスライドさせて行うベルト張力調整に用いるベルト張力調整治具であって、
前記ベルト張力調整治具は、四角形板状の引きボルト支持プレートA（７）と、棒状ねじの片側にスパナがかかる形状の引きボルト（８）と、円柱状の丸棒（９）とからなり、
引きボルト支持プレートA（７）は、モータ（１）のベルト張り引き側において、モータ軸と平行となるようにスライド式モータベース（２）に固定されており、
丸棒（９）は、モータ（１）のベルト張り引き側のループ状脚に通されており、
引きボルト（８）は、引きボルト支持プレートA（７）に設けられた穴に通して、丸棒（９）に設けられたねじ穴にねじ込むことにより、モータ（１）をベルト張り方向にスライドさせることを特徴とする、ベルト張力調整治具。
【請求項３】
モータ軸にベルトプーリーを取付けるベルト伝動装置において、モータ（１）をスライド式モータベース（２）上に設置することで、モータ（１）をスライドさせて行うベルト張力調整に用いるベルト張力調整治具であって、
前記ベルト張力調整治具は、四角形板状の引きボルト支持プレートB（１０）と、長四角形薄板の一辺が四角柱状である側面L字形状の、四角柱状と反対の辺に棒状のねじをつけたモータ引っかけツメおよび引きボルトを有するプレート（１１）と、スパナがかかる柱状のものに雌ねじの調整ナット（１２）とからなり、
引きボルト支持プレートB（１０）は、モータ（１）のベルト張り引き側において、モータ軸と平行となるようにスライド式モータベース（２）に固定されており、
モータ引っかけツメおよび引きボルトを有するプレート（１１）の薄板部分は、モータ（１）脚幅より長く、薄板部分をモータ（１）脚とスライド式モータベース（２）との隙間に配し、四角柱状部分はモータ（１）脚に引っかけ、棒状のねじは引きボルト支持プレートB（１０）に設けられた穴に通し、棒状ねじに引きナット（１２）をねじ込むことにより、モータ（１）をベルト張り方向にスライドさせることを特徴とする、ベルト張力調整治具。